【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
対象により放出又は反射される検出された電磁放射から生理的情報を抽出するデバイスであって
前記対象により放射又は反射される電磁放射をキャプチャするフォトプレチスモグラフィカメラであって、前記フォトプレチスモグラフィカメラが、前記対象の姿勢をキャプチャするよう前記対象から離れて配置される、フォトプレチスモグラフィカメラと、
前記キャプチャされた姿勢からの前記キャプチャされた電磁放射から得られるデータストリームを受信するコンピュータであって、前記データストリームが、少なくとも１つのバイタルパラメータを示す生理的情報を含む連続的又は離散的な特性信号を含み、前記特性信号は、前記少なくとも１つのバイタルパラメータを示す検出されたスペクトル部分を表す少なくとも１つの標示信号要素を含み、前記データストリームが、前記少なくとも１つの標示信号要素と共に検出される少なくとも１つの補助信号要素を少なくとも部分的に含み、前記少なくとも１つの補助信号要素は、異なるスペクトル部分を表す、コンピュータとを有し、
前記コンピュータが、少なくとも１つのプロセッサを含み、前記少なくとも１つのプロセッサは、
前記少なくとも１つの標示信号要素及び前記少なくとも１つの補助信号要素の間の特性信号矛盾を検出するようプログラムされる信号コンパレータであって、前記信号矛盾が、前記対象の生理的状態に関連付けられる、信号コンパレータと、
前記検出された信号矛盾に基づき信号較正パラメータを決定するようプログラムされる較正プロセッサと、
前記少なくとも１つの標示信号要素及び前記較正パラメータに基づき、前記少なくとも１つのバイタルパラメータを決定するようプログラムされる分析プロセッサとを含む、デバイス。
【請求項２】
前記信号矛盾が、前記対象の姿勢を表す時間的信号矛盾である、請求項１に記載のデバイス。
【請求項３】
前記信号矛盾が、前記少なくとも１つの標示信号要素における少なくとも１つ及び前記少なくとも１つの補助信号要素の間の時間遅延を表す時間的信号矛盾である、請求項１に記載のデバイス。
【請求項４】
前記信号矛盾が、前記少なくとも１つの標示信号要素における少なくとも１つ及び前記少なくとも１つの補助信号要素の間の波形における違いを表す信号形状矛盾である、請求項１に記載のデバイス。
【請求項５】
前記少なくとも１つのバイタルパラメータが、心血管活動を表すパラメータである、請求項１に記載のデバイス。
【請求項６】
前記少なくとも１つのバイタルパラメータが、酸素飽和、心拍、心拍数、心拍変動性、トラウベ・ヘリング・マイヤー波及び呼吸レートからなる群から選択される、請求項１に記載のデバイス。
【請求項７】
前記較正パラメータが、適合的較正パラメータであり、前記少なくとも１つのプロセッサは、前記検出された信号矛盾を適用する統計調整計算測定に基づき、前記較正パラメータを計算するよう構成される、請求項１に記載のデバイス。
【請求項８】
前記少なくとも１つのコンピュータプロセッサが、前記少なくとも１つの標示信号要素における少なくとも１つ及び前記少なくとも１つの補助信号要素に対して相関計算を適用することにより、前記信号矛盾を検出するよう更に構成される、請求項１に記載のデバイス。
【請求項９】
前記特性信号が、少なくとも２つの標示信号要素を有し、第１の信号要素は、第１の標示スペクトル部分を表し、及び第２の信号要素は、第２の標示スペクトル部分を表す、請求項１に記載のデバイス。
【請求項１０】
前記少なくとも１つの補助信号要素が、補助スペクトル部分を表し、前記補助スペクトル部分と、前記第１の標示スペクトル部分及び前記第２の標示スペクトル部分の少なくとも１つとは、異なる個別の吸収及び反射特性が、前記対象の観察された組織において現れるよう選ばれる、請求項９に記載のデバイス。
【請求項１１】
前記カメラが、少なくとも２つの規定されたスペクトル分布の規定された応答特性を含む、請求項１に記載のデバイス。
【請求項１２】
ある距離から前記対象に放射線を向ける少なくとも１つの光源を更に有し、前記光源が、可視放射線及び赤外放射線を含むスペクトル放射線部分を生成する、請求項１に記載のデバイス。
【請求項１３】
生理的情報を抽出するパルスオキシメトリデバイスであって、
ある距離から対象に光放射線を向ける少なくとも１つの光源であって、前記光源が、可視放射線及び赤外放射線を含むスペクトル放射線部分を生成する、光源と、
前記対象により反射される前記少なくとも１つの光源からの前記可視放射線及び赤外放射線を検出するフォトプレチスモグラフィカメラであって、前記フォトプレチスモグラフィカメラが、前記対象の姿勢をキャプチャするよう前記対象から離れて配置される、フォトプレチスモグラフィカメラと、
コンピュータメモリ及び少なくとも１つのプロセッサを含むデータ処理システムであって、前記少なくとも１つのプロセッサが、
前記検出される可視及び赤外放射線から得られるデータストリームを受信し、前記データストリームが、少なくとも１つのバイタルパラメータを示す生理的情報を含む特性信号を含み、前記特性信号は、前記少なくとも１つのバイタルパラメータを示す検出されたスペクトル部分を表す少なくとも２つの標示信号要素を含み、前記データストリームが、少なくとも１つの補助信号要素を少なくとも部分的に含み、前記少なくとも１つの補助信号要素は、異なるスペクトル部分を表し、
前記対象の姿勢に関連付けられる前記少なくとも２つの標示信号要素及び前記少なくとも１つの補助信号要素の間の特性信号矛盾を検出し、
前記検出された信号矛盾に基づき適合的信号較正パラメータを決定し、
前記少なくとも２つの標示信号要素及び前記適合的較正パラメータに基づき、前記少なくとも１つのバイタルパラメータを決定するようプログラムされる、データ処理システムとを有する、パルスオキシメトリデバイス。
【請求項１４】
前記信号矛盾が、前記少なくとも２つの標示信号要素における少なくとも１つ及び前記少なくとも１つの補助信号要素の間の時間遅延を表す時間的信号矛盾である、請求項１３に記載のデバイス。
【請求項１５】
前記少なくとも１つのコンピュータプロセッサが、前記検出された信号矛盾を適用する統計調整計算測定に基づき、前記較正パラメータを計算するよう構成される、請求項１３に記載のデバイス。
【請求項１６】
対象により放出又は反射される検出された電磁放射から生理的情報を抽出する方法において、
前記対象から離れて配置されるフォトプレチスモグラフィカメラで、前記対象の姿勢を示す前記対象から放射又は前記対象により反射される電磁放射をキャプチャするステップと、
前記姿勢を示す検出された電磁放射から得られるデータストリームをインターフェースで受信するステップであって、前記データストリームが、少なくとも１つのバイタルパラメータを示す生理的情報を含む連続的又は離散的な特性信号を有し、前記特性信号は、前記少なくとも１つのバイタルパラメータを示す検出されたスペクトル部分を表す少なくとも１つの標示信号要素を有し、前記データストリームが、少なくとも１つの補助信号要素を部分的に有し、前記少なくとも１つの補助信号要素は、異なるスペクトル部分を表す、ステップと、
前記少なくとも１つの標示信号要素における少なくとも１つ及び前記少なくとも１つの補助信号要素の間の特性信号矛盾を少なくとも１つのコンピュータプロセッサで検出するステップであって、前記信号矛盾が、前記対象の姿勢を示す、ステップと、
前記検出された信号矛盾に基づき、信号較正パラメータを前記少なくとも１つのコンピュータプロセッサで決定するステップと、
前記少なくとも１つの標示信号要素及び前記較正パラメータに基づき、前記少なくとも１つのバイタルパラメータを前記少なくとも１つのコンピュータプロセッサで決定するステップとを有する、方法。
【請求項１７】
前記検出された信号矛盾を適用する統計調整計算測定に基づき、前記較正パラメータを前記少なくとも１つのコンピュータプロセッサで計算するステップを更に有する、請求項１６に記載の方法。
【請求項１８】
コンピュータに、請求項１６に記載される方法のステップを実行させるプログラムコード手段を有する、コンピュータプログラム。
【請求項１９】
少なくとも１つの光源を用いてある距離から前記対象に光を向けるステップを更に有し、前記光源が、可視光及び赤外光を生成する、請求項１６に記載の方法。
【請求項２０】
生理的情報を抽出するパルスオキシメトリデバイスであって、
ある距離から対象に光放射線を向ける少なくとも１つの光源であって、前記光源が、可視放射線及び赤外放射線を含むスペクトル放射線部分を生成する、光源と、
前記対象により反射される前記少なくとも１つの光源からの前記可視放射線及び赤外放射線をキャプチャするフォトプレチスモグラフィカメラであって、前記カメラが、前記対象の姿勢をキャプチャするよう前記対象から離れて配置される、フォトプレチスモグラフィカメラと、
１つ又は複数のコンピュータプロセッサを備えるコンピュータであって、前記コンピュータプロセッサが、
検出される可視及び赤外放射線から得られるデータストリームを受信し、前記データストリームが、少なくとも１つのバイタルパラメータを示す生理的情報を含む特性信号を含み、前記特性信号は、前記少なくとも１つのバイタルパラメータを示す検出されたスペクトル部分を表す少なくとも２つの標示信号要素を含み、前記データストリームが、少なくとも１つの補助信号要素を少なくとも部分的に含み、前記少なくとも１つの補助信号要素は、異なるスペクトル部分を表し、
前記対象の姿勢に関連付けられる前記少なくとも２つの標示信号要素及び前記少なくとも１つの補助信号要素の間の特性信号矛盾を検出し、
前記検出された信号矛盾に基づき適合的信号較正パラメータを決定し、
前記少なくとも２つの標示信号要素及び前記適合的較正パラメータに基づき、前記少なくとも１つのバイタルパラメータを決定するよう構成される、コンピュータとを有する、パルスオキシメトリデバイス。